(57)【特許請求の範囲】
【請求項１】
透液性表面シートと、不透液性裏面シートと、これら両シート間に介在する吸液性コアとからなり、前胴周り域と、後胴周り域と、これら両胴周り域間に位置する股下域と、前記コアの両側縁から前記表裏面シートが延出して前記前後胴周り域に形成される前後両側縁部と、熱溶融性材料からなるテープファスナとを有し、前記テープファスナが、前記前後胴周り域の一方の側縁部に固定される内端部と、該内端部から延出しメカニカルファスナの雄部材が形成される外端部と、該外端部の外端に隣接する摘持部とを有し、前記前後胴周り域の他方の所要部位に対して着脱自在である使い捨ておむつにおいて、
前記テープファスナが延出する前記前後胴周り域の一方の側縁部の内面を形成する前記表面シートにこれとは異なる熱溶融性材料からなる第２表面シートが接合し、前記テープファスナがその内面を内側にして前記内端部近傍における前記第２表面シートに折り重ねられ、かつ、前記内端部近傍における前記第２表面シートとこれに対向する前記テープファスナの前記外端部の内面とが、互いに離脱可能な程度に熱エンボスまたは超音波溶着のいずれかで溶着することで、前記テープファスナの前記第２表面シートに対する接合が保持されており、前記第２表面シートには前記テープファスナよりも溶融温度の高い素材が使用されていることを特徴とする前記おむつ。
【請求項２】
前記熱溶融性材料が、ポリプロピレン等の熱溶融性合成樹脂を原料とする不織布および／またはフィルムである請求項１記載のおむつ。
【請求項３】
前記熱溶融性材料で構成された前記テープファスナの内面の少なくとも一部が、ポリプロピレン等の熱溶融性合成樹脂を原料とするフィルムである請求項１又は２に記載のおむつ。
【請求項４】
前記テープファスナは、前記内端部が前記コアの両側縁から延出する前記表裏面シートの間に介在している請求項１ないし３のいずれかに記載のおむつ。
【発明の詳細な説明】
【０００１】
【発明が属する技術分野】
この発明は、左右側縁部にテープファスナを有する使い捨ておむつに関する。
【０００２】
【従来の技術】
従来、使い捨ておむつを着用するために、後胴周り域の左右側縁部から延出するテープファスナを前胴周り域の所要部位に着脱させる手段を利用することは周知である。かかるテープファスナに、雌雄一対の止着部材で構成されるメカニカルファスナの一方の部材を使用することも周知である。例えば、米国特許第４，８６９，７２４号に開示された使い捨ておむつでは、フック形状の止着部材を有するテープファスナが胴周り側縁部から延出している。このおむつを着用するときには、その部材を前身頃外面に形成されたランディングゾーンに止着する。
【０００３】
【発明が解決しようとする課題】
前記公知のおむつでは、テープファスナがおむつの側縁部から延出したままの状態にあって、フック形状の止着用雄部材が露出しているから、これを着用する前には、例えばおむつを保管しているときには、その止着部材が周囲の様々なものに引っ掛かり易く、母親にとっては、何枚ものおむつをきれいに整理整頓しておくことが難しい場合もある。しかしながら、このテープファスナが邪魔にならないように、ファスナを一時的に止着しておくことができるような相手方のファスナ部材をおむつ内面に取り付けておくことは、著しいコストの上昇を招く。
【０００４】
この発明は、比較的簡単な手段でこの種メカニカルファスナを利用したテープファスナがおむつを取り扱うときの支障にならないようにすることを課題にしている。
【０００５】
【課題を解決するための手段】
前記課題を解決するために、この発明が前提とするのは、透液性表面シートと、不透液性裏面シートと、これら両シート間に介在する吸液性コアとからなり、前胴周り域と、後胴周り域と、これら両胴周り域間に位置する股下域と、前記コアの両側縁から前記表裏面シートが延出して前記前後胴周り域に形成される前後両側縁部と、熱溶融性材料からなるテープファスナとを有し、前記テープファスナが、前記前後胴周り域の一方の側縁部に固定される内端部と、該内端部から延出しメカニカルファスナの雄部材が形成される外端部と、該外端部の外端に隣接する摘持部とを有し、前記前後胴周り域の他方の所要部位に対して着脱自在である使い捨ておむつである。
【０００６】
かかる前提において、この発明が特徴とするところは、前記テープファスナが延出する前記前後胴周り域の一方の側縁部の内面を形成する前記表面シートにこれとは異なる熱溶融性材料からなる第２表面シートが接合し、前記テープファスナがその内面を内側にして前記内端部近傍における前記第２表面シートに折り重ねられ、かつ、前記内端部近傍における前記第２表面シートとこれに対向する前記テープファスナの前記外端部の内面とが、互いに離脱可能な程度に熱エンボスまたは超音波溶着のいずれかで溶着することで、前記テープファスナの前記第２表面シートに対する接合が保持されており、前記第２表面シートには前記テープファスナよりも溶融温度の高い素材が使用されていることにある。
【０００７】
【０００８】
【発明の実施の形態】
添付の図面を参照し、この発明に係る使い捨ておむつの詳細を説明すると、以下のとおりである。
【０００９】
図１に部分破断斜視図で示された使い捨ておむつ１は、透液性表面シート２と、不透液性裏面シート３と、吸液性コア４とからなり、前胴周り域６と、後胴周り域７と、これら両胴周り域６，７間に位置する股下域８とを有している。表裏面シート２，３は、コア４の周縁から延出する部分で互いに接合し、前後各胴周り域６，７における側縁部１１，１２、股下域８における左右脚周り側縁部１３、および前後各胴周り域６，７における前後端縁部１４，１６を形成している。脚周り側縁部１３と前後端縁部１４，１６とでは、脚周り弾性部材１７と前後胴周り弾性部材１８，１９とが表裏面シート２，３の少なくとも一方の内面に伸長状態で接合している。後胴周り域７の左右側縁部１２には、側方へ延出可能なテープファスナ２１が配置されている。図では、左右一対のテープファスナ２１のうちの一方のファスナ２１が、おむつ１の内面に折り重ねられ、もう一方のファスナ２１が側方へ延出した状態にある。
【００１０】
かかるおむつ１において、表面シート２には、ポリプロピレン等の熱溶融性合成樹脂を原料とする不織布または開孔フィルムが使用され、裏面シート３には、ポリエチレン、ポリプロピレン等の熱溶融性合成樹脂のフィルムが使用されている。テープファスナ２１は、ポリプロピレン等の熱溶融性合成樹脂を原料とする不織布および／またはフィルムからなるテープ基材２２の内面に止着部２３が形成されたものであって、ファスナ２１の内端部２４がおむつ側縁部１２に固着し、外端部２６が側縁部１２から延出可能である。外端部２６の内面には止着部２３があり、その外端に隣接して摘持部２８がある。
【００１１】
図２は、図１のＩＩ−ＩＩ線断面図である。テープファスナ２１は、内端部２４が表裏面シート２，３それぞれの内面にホットメルト接着剤（図示せず）を介して固着し、外端部２６が表面シート２の外面に折り重ねられ、テープ基材２２からなる摘持部２８のうちの極く狭い部分３１が表面シート２と溶着し、これによって、テープファスナ２１の表面シート２に対する接合が保持されている。この溶着部分３１は、０．３〜２．０ｍｍ２の面積を有し、摘持部２８に１〜３箇所形成されている。図１に例示した部分３１は、摘持部２８において小さなＭの字を描いている。止着部２３は、商標「マジックテープ」等で知られる雌雄一対の止着部材で構成されるメカニカルファスナのうちの雄部材を外端部２６の内面に溶着等の手段（図示せず）で固着することにより形成されている。
【００１２】
このように構成されたテープファスナ２１は、摘持部２８を持って、おむつの内面（表面シート２の外面）から引き起こすようにすると、部分３１においてテープファスナ２１の外端部２６がおむつ内面から離脱し、仮想線のごとく使用可能な状態になる。かかるテープファスナ２１の離脱は、部分３１におけるファスナ２１の表面シート２からの剥離、ファスナ２１または表面シート２の部分３１におけるむしれ等によって可能になる。
【００１３】
図３は、実施態様の他の一例を示す図２と同様の図面である。このおむつ１では、表面シート２の幅が裏面シート３のそれよりも狭く、表面シート２の側縁から延出する裏面シート３の側縁部分が第２表面シート３２によって覆われ、両シート３，３２がホットメルト接着剤（図示せず）を介して接合している。テープファスナ２１は、内端部２４が第２表面シート３２と裏面シート３との内面に固着し、摘持部２８の溶着部分３１では、摘持部２８と第２表面シート３２と内端部２４とが溶着して一体となり、これによって、テープファスナ２１の第２表面シート３２に対する接合が保持されている。かかるテープファスナ２１もまた、摘持部２８を持って引き上げると、おむつ内面（第２表面シート３２の外面）から簡単に離脱する。使い捨ておむつをこのように構成すると、第２表面シート３２に表面シート２よりも引き裂き強度の高い素材を使用して、テープファスナ２１が離脱するときのおむつ内面側の損傷を軽微にすることが可能になる。また、第２表面シート３２には表面シート２とは異なる熱溶融特性の素材を使用してテープファスナ２１とのより好ましい溶融特性の組合せを実現することが容易になる。例えば、第２表面シート３２にはテープファスナ２１の基材２２よりも溶融温度の高い素材を使用して、溶着部分３１における第２表面シート３２の表面平滑度の損傷を軽微にすることができる。
【００１４】
この発明にかかるおむつ１においては、テープファスナ２１の外端部２６が部分３１においてのみおむつ内面に溶着していればよいから、テープファスナ２１とおむつ１の表面シート２（または第２表面シート３２）とは、その部分３１に対応する部分とその近傍とが熱溶着性であればよい。それゆえ、おむつ１の内面は、テープファスナ２１の内端部２４とその近傍だけを所要の熱溶融特性を有するシートで被覆してもよい。また、内端部２４がおむつ内面に露出して、そこに外端部２６が溶着していてもよい。さらにはまた、おむつ内面と外端部２６内面のいずれか一方のみを溶融して、それを溶融していない相手方に接合することも可能である。外端部２６をおむつ内面に溶着するには、熱エンボス加工技術や超音波溶着技術を利用することができる。
【００１５】
【発明の効果】
この発明に係る使い捨ておむつでは、メカニカルファスナを使用したテープファスナがおむつ内面に折り重ねられ、該内面に対して離脱可能に溶着されているから、このおむつを取り扱う際にテープファスナは邪魔になることがない。
【００１６】
一般にテープファスナの止着部を構成するフック形状の雄ファスナは、そのフック先端が鋭利であれば、不織布製の表面シートに一時的に止着してこの発明と同様の目的を達成することも可能である。しかしながら、そのようなフック先端の肌への刺激を抑えるためにその鋭利さを柔らげると、表面シートへの一時的な止着が不可能になる。この発明に係る使い捨ておむつは、そのような肌を刺激することのないテープファスナを使用する場合に優れた効果を発揮する。
【図面の簡単な説明】
【図１】  使い捨ておむつの部分破断斜視図。
【図２】  図１のＩＩ−ＩＩ線断面図。
【図３】  実施態様の一例を示す図２と同様の断面図。
【符号の説明】
１      使い捨ておむつ
２      表面シート
３      裏面シート
４      コア
６      前胴周り域
７      後胴周り域
８      股下域
１１    側縁部
１２    側縁部
２１    テープファスナ
２３    雄部材
２４    内端部
２６    外端部
２８    摘持部
３２    第２表面シート
【図１】
0003701892.tif 000002
【図２】
0003701892.tif 000003
【図３】
0003701892.tif 000004